(57)【要約】【課題】  紙幣を返却する際、紙幣の整列を崩さずに顧客が紙幣を抜き取り易くする紙幣入出金装置を提供する。【解決手段】  プールガイド１８内に集積された立設状態の紙幣２３を押圧しているビルプレス１９を紙幣２３から離した後に、押さえブラケット２０で紙幣２３の下部を支持するようにする。これにより、紙幣２３が整列を崩してばらけることがなく、顧客が紙幣２３を抜き取りやすくなる。【選択図】  図１
2006053811.tif 000002
【特許請求の範囲】
【請求項１】
出金用紙幣が集積されるとともに入金用紙幣が投入される入出金部を有する紙幣入出金装置において、
出金用紙幣は前記入出金部にほぼ立設状態で集積され、
前記集積された紙幣の下部を押さえる押さえ部材を設けたことを特徴とする紙幣入出金装置。
【請求項２】
前記押さえ部材は紙幣の傾きを許容する程度に前記紙幣を押さえる請求項１記載の紙幣入出金装置。
【請求項３】
出金用紙幣が集積されるとともに入金用紙幣が投入される入出金部を有する紙幣入出金装置において、
前記入出金部内に残留した折れ紙幣を検出する検出手段と、
紙幣を搬送する搬送手段と、
前記入出金部内に残留した折れ紙幣を前記搬送手段まで移動させる移動手段と、
前記搬送手段まで移動された折れ紙幣を前記搬送手段へ押し付ける押圧部材を有することを特徴とする紙幣入出金装置。
【発明の詳細な説明】
【技術分野】
【０００１】
本発明は、出金用紙幣が集積されるとともに入金用紙幣が投入される入出金部を有する紙幣入出金装置に関する。
【背景技術】
【０００２】
従来、紙幣入出金装置においては、入出金部が設けられ、入出金部に入金紙幣を投入するようにするとともに、出金紙幣を集積して顧客に対して払い出すようにしている。図２は従来の紙幣入出金装置における入出金部の紙幣集積部を示す概略側面図である。
【０００３】
図２において、紙幣集積部１は、その中に紙幣２が集積されるプールガイド３により構成され、ビルプレス４が水平方向に移動可能に設けられている。紙幣を出金する場合、プールガイド３内に出金用の紙幣２が収納されると、まず紙幣２がばらけないようにするためにビルプレス４により紙幣２が押圧される。紙幣２を払出す準備が整うと、ビルプレス４が矢印方向に移動して、即ち、点線の位置から実線の位置へ移動して、立設状態の紙幣２への押圧を解除し、上方からの顧客による紙幣２の抜き取りを可能にする。
【０００４】
またこの種の従来技術として、特開平１０−６９５６２号公報に開示されるものがある。これはフロントパネルとバックアップの間に形成された空間部に対して、取込みローラにより紙幣を放出する。紙幣が空間部に放出されると、フロントパネルとバックアップを当初の位置に戻し、空間部の上方のシャッタを開けて紙幣を顧客へ返却可能にする。顧客が紙幣を抜き取る際には紙幣がフロントパネルとバックアップに圧接されないようになっている。
【特許文献１】特開平１０−６９５６２号公報
【発明の開示】
【発明が解決しようとする課題】
【０００５】
しかしながら図２に示す従来の装置においては、紙幣を返却する際、ビルプレスが紙幣から離れるので、立設状態の紙幣の整列が崩れ、不揃いの状態になる。そのために顧客が紙幣を抜き取り難くなる。またビルプレスの退避移動とともに何枚かの紙幣がビルプレス側に倒れると、顧客が紙幣を抜き取る時に、倒れた紙幣が顧客から見え難いという問題がある。上記文献に記載の発明においても同様の問題がある。
【課題を解決するための手段】
【０００６】
上記課題を解決するために、本発明は、出金用紙幣が集積されるとともに入金用紙幣が投入される入出金部を有する紙幣入出金装置において、出金用紙幣は前記入出金部にほぼ立設状態で集積され、前記集積された紙幣の下部を押さえる押さえ部材を設けたことを特徴とするものである。押さえ部材は紙幣の傾きを許容する程度に紙幣を押さえると効果的である。
【発明の効果】
【０００７】
上記構成の本発明によれば、集積された紙幣の下部を押さえる押さえ部材を設けたので、顧客が紙幣を取り出す際に紙幣が整列を崩すことはなく、抜き取りやすくなるとともに取り残しを防止することができる。
【発明を実施するための最良の形態】
【０００８】
以下、本発明を実施するための形態を図面に従って説明する。図１は本発明の第１実施の形態による紙幣入出金装置の入出金部を示す概略側面図である。図３は第１実施の形態による紙幣入出金装置を示す概略説明図である。まず図３により紙幣入出金装置について説明する。
【０００９】
図３において、紙幣入出金装置１０には、入出金部１１、紙幣の表裏反転部１２、鑑別部１３、補充回収カセット１４、金種別カセット１５（１５ａ、１５ｂ、１５ｃ）、入出金リジェクトボックス１６および上記各部を接続する搬送路１７がそれぞれ配設されている。入出金部１１には紙幣が集積されるプールガイド１８、ビルプレス１９および押さえブラケット２０が設けられている。入出金部１１については後述する。
【００１０】
表裏反転部１２は顧客に支払うために出金される紙幣の表裏を揃える機能を有する。鑑別部１３は紙幣の金種、真偽、正損、表裏等を判別する機能を有する。補充回収カセット１４は、複数の金種の紙幣を収納するもので、回収部１４ａとリジェクト部１４ｂが一体に設けられている。金種別カセット１５は出金用の紙幣を収納するカセットで、カセット１５ａ、１５ｂは万円紙幣を収納し、カセット１５ｃは千円紙幣を収納する。各金種別カセット１５ａ、１５ｂ、１５ｃの上部には紙幣の一時保留部２１ａ、２１ｂ、２１ｃがそれぞれ設けられている。
【００１１】
入出金リジェクトボックス１６の上段には、顧客が取り忘れた紙幣を収納する取込リジェクト部１６ａが形成され、下段には入金時に出金用不可とされた紙幣を収納する入金リジェクト部１６ｂが形成されている。搬送路１７は、図示しない搬送ローラやベルトにより紙幣を挟持し、モータ等によりそれらが回転することにより紙幣を搬送する。
【００１２】
図１において、入出金部１１には上述のようにプールガイド１８、ビルプレス１９および押さえブラケット２０が設けられている。プールガイド１８は図示しないモータにより矢印Ａ−Ｂ方向に回転可能であり、内部には紙幣２３を集積する紙幣集積部２２が形成されている。ビルプレス１９はプールガイド１８に移動可能に取付けられ、プールガイド１８が回転するときビルプレス１９も回転する。ビルプレス１９は図示しないモータによりプールガイド１８に対して矢印Ｃ−Ｄ方向に移動可能となっている。
【００１３】
押さえブラケット２０は、図示しないモータにより矢印Ｅ−Ｆ方向に移動可能である。矢印Ｅ方向に移動することにより、押さえブラケット２０はプールガイド１８の側面１８ａを入れ子状に通過し、さらにビルプレス１９を入れ子状に通過して集積された紙幣２３まで到達することができる。
【００１４】
次に第１の実施の形態の動作を説明する。図４は第１の実施の形態の動作を示すフローチャート、図５乃至図１０は第１の実施の形態の動作を示す説明図である。ここでは顧客が紙幣の出金取引を行う場合の動作について説明する。
【００１５】
顧客が出金取引を選択すると（ステップ１）、紙幣入出金装置１０は出金モードに設定され、顧客に暗証番号および出金金額の入力を促すとともに、入出金部１１を図５に示す状態にする。図５においては、プールガイド１８は開口部１８ｂを左側にした横向きの状態になっており、ビルプレス１９は横向きのプールガイド１８の上部に位置し、紙幣集積部２２を空けた状態にしている。また押さえブラケット２０はプールガイド１８から離れた退避位置にある。
【００１６】
顧客が出金金額を入力すると、金種別カセット１５（１５ａ、１５ｂ、１５ｃ）から紙幣が繰出され、搬送路１７上を鑑別部１３を経て入出金部１１へ向けて搬送される（ステップ２）。入出金部１１へ搬送されてきた紙幣２３は、図６に示すように、プールガイド１８の集積部２２へ集積される。顧客の指定した金額の紙幣２３が集積部２２へ集積されると（ステップ３）、次にビルプレス１９が下降して、図７に示すように、集積された紙幣２３を押圧する（ステップ４）。
【００１７】
次にプールガイド１８を時計回り方向に９０度回転させる（ステップ５）。このとき紙幣２３はビルプレス１９で押さえられているので、整列が崩れることはない。この回転によりプールガイド１８は図８に示す状態になり、紙幣２３は立設状態になる。次に押さえブラケット２０を紙幣２３に突き当たるまで移動させる（ステップ６）。押さえブラケット２０はプールガイド１８およびビルプレス１９と入れ子状になっており、この移動により図９に示すように、先端部２０ａが紙幣２３に突き当たる。
【００１８】
押さえブラケット２０の紙幣２３への突き当たりは図示しないセンサにより検出され、突き当たりが検出されると（ステップ７）、押さえブラケット２０の移動を停止し、その後押さえブラケット２０を所定量戻す（ステップ８）。即ち、図９に点線で示す位置まで戻す。押さえブラケット２０の戻された位置は、押さえブラケット２０だけで紙幣２３を支持する場合に、紙幣２３が押さえブラケット２０側へ多少傾くのを可能にする位置に設定される。
【００１９】
次にビルプレス１９を図９に示す矢印Ｄ方向に移動させて紙幣２３から離す（ステップ９）。ビルプレス１９は、図１０に示すように、プールガイド１８の側面１８ａの位置まで戻され、顧客による紙幣２３の抜き取りに邪魔にならないようにする。これにより紙幣２３は、図１０に示すように、押さえブラケット２０により傾いた状態に支持される。
【００２０】
次に図示しないシャッタを開け（ステップ１０）、顧客が紙幣２３を抜き取ることができるようにする。このとき紙幣２３は若干傾いた状態になっており、また紙幣２３の両側（図１０における左右両側）に空間部が形成されているので、顧客は紙幣２３を抜き取りやすい。また紙幣を抜き取る際の顧客の視線は矢印Ｇ方向になっており、この方向に紙幣２３が傾いているので、顧客が紙幣２３の凡その枚数を確認することができる。
【００２１】
紙幣２３が抜き取られると（ステップ１１）、シャッタは閉じられるが（ステップ１３）、シャッタが開かれてから所定時間経過しても紙幣２３が抜き取られない場合は、シャッタを閉じた後、紙幣２３を図３に示す入出金リジェクトボックス１６の取込リジェクト部１６ａに取込む。
【００２２】
以上のように、立設状態の紙幣２３を押圧しているビルプレス１９を紙幣２３から離した後に押さえブラケット２０で紙幣２３の下部を支持するようにしたので、紙幣２３が整列を崩してばらけることがなく、あるいは紙幣２３が退避したビルプレス１９側へ倒れることがなく、顧客が抜き取りやすいという効果が得られる。
【００２３】
なお上記の例においては、押さえブラケット２０を紙幣２３に突き当てた後にビルプレス１９を紙幣２３から離すようにしているが、これとは逆にビルプレス１９を紙幣２３から離した後に押さえブラケット２０を突き当てるようにしてもよい。この場合、ビルプレス１９を紙幣２３から離したときに紙幣２３はばらけるようになるが、ブラケット２０が突き当てられることにより紙幣２３は元の整列状態に戻される。
【００２４】
また押さえブラケット２０の動作制御で、上記の例では押さえブラケット２０を一旦紙幣２３に突き当てた後所定量戻すようにしているが、これに限らず例えば、出金紙幣の枚数が図示しない装置制御部で認識しているので、この枚数に応じて押さえブラケット２０の移動量を算出し、算出した移動量だけ移動させるようにしてもよい。この場合には１回の移動だけで目的位置への移動ができることになる。
【００２５】
さらにその他の変形例として、図１１に示すように、ビルプレスの下部を回動可能にして紙幣を押さえるようにしてもよい。図１１は第１の実施の形態の変形例を示す概略側面図である。図１１において、ビルプレス１９の下部１９ａは支点１９ｂを中心に回動可能に形成されている。ビルプレス１９が立設状態の紙幣２３から退避した後、ビルプレス１９の下部１９ａを紙幣２３の方向に回動させる。これにより下部１９ａの先端部が紙幣２３に突き当たり、紙幣２３を整列状態に支持する。ビルプレス１９の下部１９ａを回動させる手段としては、上述の押さえブラケット２０のような部材でも、あるいは回転部材により回動させるようにしてもよい。
【００２６】
次に第２の実施の形態を説明する。図１２は第２の実施の形態による紙幣入出金装置の入出金部を示す概略側面図である。第２の実施の形態は、顧客が入金した紙幣が折れている場合でも確実に装置内の搬送路に繰出せるようにしたものである。
【００２７】
図１２において、第２の実施の形態の入出金部は第１の実施の形態と同様にプールガイド１８、ビルプレス１９および押さえブラケット２０が設けられている。押さえブラケット２０の先端部２０ａにはゴム部材２４が固着されている。ゴム部材２４の垂直方向の長さは、押さえブラケット２０がプールガイド１８内に進入したときにプールガイド１８の下側の面に接触する程度に設定する。またプールガイド１８内に投入された入金紙幣を搬送路に繰出すためのピッカローラ２５、ピッカローラ２５により繰出された紙幣を１枚ずつ搬送するための搬送ローラ２６およびリバースローラ２７がそれぞれ回転可能に設けられている。
【００２８】
入金取引を行う場合、プールガイド１８は開口部１８ｂが上部に位置する状態で顧客から紙幣が投入される。紙幣が投入されると、図示しないシャッタが閉じられ、ビルプレス１９が紙幣に圧接した後、プールガイド１８が９０度回転して横向きになる。これにより紙幣も横向きになり、最下部の紙幣はピッカローラ２５に接触する。この状態でピッカローラ２５を回転すると、入金紙幣はピッカローラ２５により繰出され、搬送ローラ２６およびリバースローラ２７により１枚ずつに分離されて装置内の各部に送られる。
【００２９】
しかしながら顧客の投入した入金紙幣の中に折れた紙幣が混入していると、その折れ紙幣はピッカローラ２５で繰出されずにプールガイド１８内に残留する。折れ紙幣が間に挟まっている場合でも、折れ紙幣の上部にある折れのない紙幣はビルプレスによりピッカローラ２５に圧接されるので繰出され、結局、折れ紙幣のみが繰出されずにプールガイド１８内に残されることになる。折れ紙幣の残留は図示しない残留検知センサにより検出される。図１２は折れ紙幣２８が残留している状態を示す。
【００３０】
次に第２の実施の形態の動作を説明する。図１３、図１４は第２の実施の形態の動作を示す説明図である。図１２において、まず折れ紙幣２８の残留が図示しない残留検知センサにより検出される。この時ビルプレス１９は上方に退避している。この状態でピッカローラ２５を回転させても折れ紙幣２８は繰出されない。この状態から押さえブラケット２０を矢印Ｅ方向に移動させる。
【００３１】
押さえブラケット２０はプールガイド１８と入れ子状になっており、この移動により図１３に示すように、先端部２０ａに設けられたゴム部材２４が折れ紙幣２８をピッカローラ２５側へ押す。押さえブラケット２０は折れ紙幣２８がピッカローラ２５上に位置する程度まで移動し、その後反対方向に移動して図１４に示すように退避する。このとき折れ紙幣２８はピッカローラ２５上に残される。
【００３２】
ここでビルプレス１９を下降させ、図１４に示すように、折れ紙幣２８をピッカローラ２５に押し付ける。この押し付けにより、折れ紙幣２８に対するピッカローラ２５のフィード力が発生する。ここでピッカローラ２５および搬送ローラ２６、リバースローラ２７をそれぞれ矢印方向に回転すると、折れ紙幣２８は矢印Ｇ方向に搬送され、装置内の搬送路１７に繰出される。
【００３３】
以上のように第２の実施の形態によれば、プールガイド１８内に残留した折れ紙幣２８を押さえブラケット２０でピッカローラ２５まで押し出すことにより、折れ紙幣２８を装置内に搬送することができるようになる。また押さえブラケット２０の先端部２０ａにゴム部材２４を設けたことにより、折れ紙幣２８を確実にピッカローラ２５まで送ることができる。ゴム部材２４をプールガイド１８の下部に接触する程度まで伸ばすことによりその確実性は増し、材質がゴムであれば移動の際にプールガイド１８の下部に接触しても移動自体に支障はない。
【図面の簡単な説明】
【００３４】
【図１】第１実施の形態による紙幣入出金装置の入出金部を示す概略側面図である。
【図２】従来の紙幣入出金装置における入出金部の紙幣集積部を示す概略側面図である。
【図３】第１実施の形態による紙幣入出金装置を示す概略説明図である。
【図４】第１の実施の形態の動作を示すフローチャートである。
【図５】第１の実施の形態の動作を示す説明図である。
【図６】第１の実施の形態の動作を示す説明図である。
【図７】第１の実施の形態の動作を示す説明図である。
【図８】第１の実施の形態の動作を示す説明図である。
【図９】第１の実施の形態の動作を示す説明図である。
【図１０】第１の実施の形態の動作を示す説明図である。
【図１１】第１の実施の形態の変形例を示す概略側面図である。
【図１２】第２の実施の形態による紙幣入出金装置の入出金部を示す概略側面図である。
【図１３】第２の実施の形態の動作を示す説明図である。
【図１４】第２の実施の形態の動作を示す説明図である。
【符号の説明】
【００３５】
１０  紙幣入出金装置
１１  入出金部
１８  プールガイド
１９  ビルプレス
２０  押さえブラケット
２３  紙幣
２８  折れ紙幣
【図１】
2006053811.tif 000003
【図２】
2006053811.tif 000004
【図３】
2006053811.tif 000005
【図４】
2006053811.tif 000006
【図５】
2006053811.tif 000007
【図６】
2006053811.tif 000008
【図７】
2006053811.tif 000009
【図８】
2006053811.tif 000010
【図９】
2006053811.tif 000011
【図１０】
2006053811.tif 000012
【図１１】
2006053811.tif 000013
【図１２】
2006053811.tif 000014
【図１３】
2006053811.tif 000015
【図１４】
2006053811.tif 000016